(57)【特許請求の範囲】
【請求項１】
原子力発電所等の放射線管理区域内で作業する作業者が管理区域内に入場する際に着替える衣服を収納するロッカであって、
管理区域内で作業する作業者の放射線被曝量を測定する個人被曝線量計を充電する充電部と、
充電を完了した個人被曝線量計を作業者に貸し出す貸出手段と
を備えていることを特徴とする個人被曝線量計充電機能付きロッカ。
【請求項２】
原子力発電所等の放射線管理区域内で作業する作業者が管理区域内に入場する際に着替える衣服を収納するロッカであって、
作業者の個人管理番号を読み取る個人管理番号読取り部と、
個人管理番号読取り部が読み取った個人管理番号を記憶し、管理区域内で作業する作業者の放射線被曝量を測定する個人被曝線量計に個人管理番号を送信し、個人被曝線量計の返却時には作業者の個人管理番号を照合し、個人管理番号が合致している場合にロッカを開鍵する制御部と、
個人被曝線量計を充電し、かつ制御部から伝送された作業者の個人管理番号を個人被曝線量計に記録する充電部と、
充電を完了し、かつ個人管理番号が記録された個人被曝線量計を貸し出す貸出手段と
を備えていることを特徴とする個人被曝線量計充電・管理機能付きロッカ。
【請求項３】
原子力発電所等の放射線管理区域内で作業する作業者が管理区域内に入場する際に着替える衣服を収納するロッカであって、
作業者の個人管理番号を読み取る個人管理番号読取り部と、
個人管理番号読取り部が読み取った個人管理番号を記憶し、個人管理番号を作業者の入退域管理のための放射線被曝線量管理用計算機に送信してその計算機から入域許可及び既被曝線量データを受信し、作業者に入域可否を指示し、管理区域内で作業する作業者の放射線被曝量を測定する個人被曝線量計に個人管理番号及び既被曝線量値を記録するための信号を送信し、個人被曝線量計の返却時には、作業者の個人管理番号を照合し、個人管理番号が合致している場合にロッカを開鍵し、同時に個人被曝線量計の計測データを読み出して前記放射線被曝線量管理用計算機に計測データを送信する制御部と、
個人被曝線量計を充電し、制御部から送信された作業者の個人管理番号及び既被曝線量値を個人被曝線量計に記録し、個人被曝線量計の返却時には、個人被曝線量計の最終被曝線量値を制御部に送信する充電部と、
充電を完了し、かつ個人管理番号及び既被曝線量値が記録された個人被曝線量計を貸し出す貸出手段と
を備えていることを特徴とする個人被曝線量計充電・管理機能付きロッカ。
【発明の詳細な説明】
【０００１】
【発明の属する技術分野】
この発明は、原子力発電所等の放射線管理区域（以下では管理区域と略称する）内へ作業者が入退域する際に着替える衣服の収納のためのロッカ及び作業者の管理区域内への入退域管理に関する。
【０００２】
【従来の技術】
図８は、作業者が管理区域内へ入退域する際に通過する従来の入退域管理装置３の周辺を示す斜視図である。
作業者は、まず図示していない脱衣所で衣服を着替え、着替えた衣服を図示していないロッカに収納した後、管理区域内で被曝した放射線量を計測するための個人被曝線量計（以下では線量計と略称する）２を線量計２の充電・貸出装置（図８では充電・貸出装置）１から借用する。次に、入退域管理装置３に借用した線量計２をセットしＩＤカードなどで個人管理番号を入力する。入退域管理装置３は、作業者の個人管理番号を図示していない放射線被曝線量管理用計算機（以下では管理用計算機と略称する）に送信する。管理用計算機はその個人管理番号に対応する作業者の既被曝線量値をチェックして入域可否を判断し、入域可であれば入域許可及び既被曝線量値を入退域管理装置３に送信する。この入域許可を受けて入退域管理装置３のゲートが開き作業者の入域が許可される。また、送信されてきた既被曝線量値は借用した線量計２に書き込まれる。
【０００３】
なお、作業者の既被曝線量値が限界値に達している場合には、管理用計算機は入退域管理装置３に入域禁止の信号を送り、入退域管理装置３は入域禁止の警報を発し、ゲート内にその作業者を閉じ込める。
作業者が作業を終了して管理区域内から退域する場合にも、作業者は入退域管理装置３を通過する。この際にも、作業者は入退域管理装置３に線量計２をセットし個人管理番号を入力し、個人管理番号及び最終の被曝線量値が管理用計算機に送信され、作業者の被曝線量が管理される。入退域管理装置３を通過した作業者は線量計２を充電・貸出装置１に返却し、ロッカで着替えて退場する。
【０００４】
作業者が線量計２を借用する充電・貸出装置１について更に詳しく説明する。
通常、充電・貸出装置１は、１装置当たり  １００台の線量計２を充電及び貸出することができる。管理区域の規模によっては１０台用または５０台用が設置されることもあり、複数台設置されることも多い。  １００台用の充電・貸出装置１が必要とするスペースは約幅  ６００ｍｍ×奥行き  ３００ｍｍである。
【０００５】
図９は充電・貸出装置１の部分拡大図であり、（ａ）は正面図、（ｂ）は断面図である。
線量計２を充電する充電部１１は、線量計２毎に充電に必要な構成、すなわち、図示していない充電回路、充電中表示灯１２、充電完了表示灯１３及び貸出スイッチ１４等、を備えている。通常は、返却する線量計２を図に示したように所定の位置に挿入すれば充電が開始されるように設計されている。
【０００６】
以上のような従来の充電・貸出装置１を含む入退域関連の設備には、次のような問題点がある。
その１は、着替えた衣服を収納するロッカと充電・貸出装置１とが別々に配置されているため必要なスペースが大きいことであり、
その２は、管理区域内から退域した作業者が借用した線量計２を必ずしも借用前の位置に返却するとは限らないことである。例えば、着替えた衣服に収納したままロッカに入れてしまうこともあれば、そのまま持って外部へ出てしまうこともある。
【０００７】
【発明が解決しようとする課題】
この発明の課題は、上記の問題点を解決して、設置スペースが節約でき、線量計の管理が作業者の負担とならないで確実にできる入退域管理のための設備を提供することである。
【０００８】
【課題を解決するための手段】
この発明においては、原子力発電所等の管理区域内で作業する作業者が管理区域内に入場する際に着替える衣服を収納するロッカを、線量計を充電する充電部と、充電を完了した線量計を作業者に貸し出す貸出手段とを備えている線量計充電機能付きロッカ（以下では充電ロッカと略称する）としている。
【０００９】
ロッカに線量計の充電部と貸出手段とを備えることで充電・貸出装置のスペースを削減することができる。
また、原子力発電所等の管理区域内で作業する作業者が管理区域内に入場する際に着替える衣服を収納するロッカを、作業者の個人管理番号を読み取る個人管理番号読取り部と、個人管理番号読取り部が読み取った個人管理番号を記憶し、線量計に個人管理番号を送信し、線量計の返却時には作業者の個人管理番号を照合し、個人管理番号が合致している場合にロッカを開鍵する制御部と、線量計を充電し、かつ制御部から送信された作業者の個人管理番号を線量計に記録する充電部と、充電を完了し、かつ個人管理番号が記録された線量計を貸し出す貸出手段とを備えている線量計充電・管理機能付きロッカ（以下では充電・管理ロッカと略称する）としている。
【００１０】
線量計が返却された際に個人管理番号が照合され、それが合致している場合にのみロッカが開鍵されるから線量計が確実に元の位置に返却される。
更に、原子力発電所等の管理区域内で作業する作業者が管理区域内に入場する際に着替える衣服を収納するロッカを、作業者の個人管理番号を読み取る個人管理番号読取り部と、個人管理番号読取り部が読み取った個人管理番号を記憶し、個人管理番号を作業者の入退域管理のための管理用計算機に送信してその計算機から入域許可及び既被曝線量データを受信し、作業者に入域可否を指示し、線量計に個人管理番号及び既被曝線量値を記録するための信号を送信し、線量計の返却時には、作業者の個人管理番号を照合し、個人管理番号が合致している場合にロッカを開鍵し、同時に線量計の計測データを読み出して管理用計算機に計測データを送信する制御部と、線量計を充電し、制御部から送信された作業者の個人管理番号及び既被曝線量値を線量計に記録し、線量計の返却時には、線量計の最終被曝線量値を制御部に送信する充電部と、充電を完了し、かつ個人管理番号が記録された線量計を貸し出す貸出手段とを備えている充電・管理ロッカとしている。
【００１１】
線量計が返却された際に個人管理番号が照合され、それが合致している場合にのみロッカが開鍵されるから線量計が確実に元の位置に返却される。更に、入退域管理装置の機能も兼ねているので、この充電・管理ロッカを備える場合には、入退域管理装置を省略することもできる。
【００１２】
【発明の実施の形態】
この発明は、管理区域への入退域に伴って着替えた衣服の収納、入域中の被曝線量値の把握及び入域可否の指示を、作業者の負担を増やさずに、設備設置スペースを削減し、かつ線量計の管理を確実に実施することができるものとすることを目的とする。そのために、ロッカを設備のベースとして、ロッカの一部に充電・貸出装置の機能を搭載し、更には、ロッカの開鍵条件に線量計の返済と個人管理番号の照合を合わせて線量計の管理を確実にする。また、管理用計算機と交信機能をもたせて入退域管理装置の機能をも兼ねさせるものである。
【００１３】
以下に実施例に従って説明する。図において、従来技術と同じ機能の部分には同じ符号を付した。
〔充電ロッカの実施例〕
図３はこの発明による充電ロッカの実施例の構成を示すブロック図であり、図４はその外観を示す部分斜視図である。
【００１４】
充電ロッカ４はロッカの個々の収納部（ロッカ部）４０毎に線量計２の充電・貸出機能を搭載したものである。
すなわち、充電ロッカ４には、個々のロッカ部４０の上部毎に、線量計２を充電する充電部４１と、充電部に必要な電力を供給する制御用電源４２と、充電の状態を表示する充電中表示灯１２及び充電完了表示灯１３と、線量計２を作業者が借用する時に線量計２を充電ロッカ４から取り出すための貸出スイッチ１４とが備えられている。
【００１５】
貸出スイッチ１４には、充電が完了している線量計２だけが貸し出されるようにするためのインターロックがかけられており、作業者は充電完了表示灯１３が点灯している線量計２を使用することになる。
このような充電ロッカ４により、従来技術におけるロッカと充電・貸出装置１との機能がロッカのスペースで実現され、省スペースが実現される。
【００１６】
〔充電・管理ロッカの第１の実施例〕
図１はこの発明による充電・管理ロッカの第１の実施例の構成を示すブロック図であり、図２はその外観を示す部分斜視図である。
充電・管理ロッカ５は、ロッカの個々の収納部（ロッカ部）４０毎に線量計２の充電・貸出機能及び作業者の個人管理機能を搭載したものである。
【００１７】
すなわち、充電・管理ロッカ５には、個々のロッカ部４０の上部毎に、ロッカ部４０及び線量計２を借用する作業者の個人管理番号を読み取るための、例えばＩＤカード読取り部あるいはバーコード読取り部等の個人管理番号読取り部５３と、個人管理番号読取り部５３が読取った個人管理番号を記憶し、その番号を線量計２に送信する制御部５４と、線量計２を充電し線量計２に個人管理番号を記録する充電部５１と、充電部５１及び制御部５４に電力を供給する制御用電源５２と、充電の状態を表示する充電中表示灯１２及び充電完了表示灯１３と、線量計２を作業者が借用する時に線量計２を充電ロッカ５から取り出すための貸出スイッチ１４と、個人管理番号読取り部５３と制御部５４とを結ぶ個人管理番号送信ライン５５と、制御部５４と充電部５１とを結ぶ個人管理番号伝送ライン５６とが備えられている。
【００１８】
この実施例においても、貸出スイッチ１４には、充電が完了している線量計２だけが使用されるようにするためのインターロックがかけられており、作業者は充電完了表示灯１３が点灯している線量計２を使用することになる。
また、線量計２の返却時には、線量計２に記録した個人管理番号と個人管理番号読取り部５３がＩＤカード等から読み取った個人管理番号とが照合されてロッカ使用者が確認され、両番号が合致した場合にロッカ部４０が解鍵される。
【００１９】
したがって、この充電・管理ロッカ５においては、使用された線量計２は確実に元の位置に返却される。
〔充電・管理ロッカの第２の実施例〕
図５はこの発明による充電・管理ロッカの第２の実施例の構成を示すブロック図であり、図６はその外観を示す部分斜視図である。
【００２０】
充電・管理ロッカ６は、ロッカの個々の収納部（ロッカ部）４０毎に線量計２の充電・貸出機能及び作業者の個人管理機能を搭載したものであり、入退域管理装置の機能をも兼ねている。
すなわち、充電・管理ロッカ６には、個々のロッカ部４０の上部毎に、ロッカ部４０及び線量計２を借用する作業者の個人管理番号を読み取るための、例えばＩＤカード読取り部等の個人管理番号読取り部５３と、個人管理番号読取り部５３が読取った個人管理番号を記憶し、個人管理番号を作業者の入退域管理のための管理用計算機に送信してその計算機から入域許可及び既被曝線量データを受信し、作業者に入域可否を指示し、線量計２に個人管理番号及び既被曝線量値を記録するための信号を送信し、線量計２の返却時には、作業者の個人管理番号を照合し、個人管理番号が合致している場合にロッカ４０を開鍵し、同時に線量計２の計測データを読み出して管理用計算機に計測データを送信する制御部６４と、線量計２を充電し線量計２に個人管理番号及び既被曝線量値を記録する充電部６１と、充電部６１及び制御部６４に電力を供給する制御用電源５２と、充電の状態を表示する充電中表示灯１２及び充電完了表示灯１３と、線量計２を作業者が借用する時に線量計２を充電・管理ロッカ６から取り出すための貸出スイッチ１４と、個人管理番号読取り部５３と制御部６４とを結ぶ個人管理番号送信ライン５５と、制御部６４と充電部６１とを結ぶ個人管理番号及び線量計データ伝送ライン６６とが備えられている。
【００２１】
この実施例においても、貸出スイッチ１４には、充電が完了している線量計２だけが使用されるようにするためのインターロックがかけられており、作業者は充電完了表示灯１３が点灯している線量計２を使用することになる。
また、線量計２の返却時には、線量計２に記録した個人管理番号と個人管理番号読取り部５３がＩＤカード等から読み取った個人管理番号とが照合されてロッカ使用者が確認され、両番号が合致した場合にロッカ部４０が解鍵される。
【００２２】
したがって、この充電・管理ロッカ６においては、使用された線量計２は確実に元の位置に返却される。更に、個人の被曝線量が管理されるので、入退域管理装置の機能をも兼ねさせることができる。
〔充電・管理ロッカの第３の実施例〕
図７はこの発明による充電・管理ロッカの第３の実施例の外観を示す平面図である。
【００２３】
この充電・管理ロッカ７は、前記の充電・管理ロッカ５あるいは６における個々のロッカ部４０に分散している制御電源５２を、充電・管理ロッカ７の上部にまとめた制御用電源７２に置き換えたものである。他の部分については、ロッカ部４０の扉の開き方や表示灯の位置など細部の変更は有るけれども、基本的な構成は同じである。
【００２４】
以上の実施例においては、貸出スイッチ１４の操作によって線量計２をロッカから取り出すという方式を説明したが、充電・管理ロッカ５，６あるいは７の場合には、貸出スイッチ１４を省略して個人管理番号読取り部５３にその機能を兼ねさせることもできる。
【００２５】
【発明の効果】
この発明によれば、原子力発電所等の管理区域内で作業する作業者が管理区域内に入場する際に着替える衣服を収納するロッカを、線量計を充電する充電部と、充電を完了した線量計を作業者に貸し出す貸出手段とを備えている充電ロッカとしているので、貸出手段のスペースを削減することができる。
【００２６】
また、原子力発電所等の管理区域内で作業する作業者が管理区域内に入場する際に着替える衣服を収納するロッカを、作業者の個人管理番号を読み取る個人管理番号読取り部と、個人管理番号読取り部が読み取った個人管理番号を記憶し、線量計に個人管理番号を送信し、線量計の返却時には作業者の個人管理番号を照合し、個人管理番号が合致している場合にロッカを開鍵する制御部と、線量計を充電し、かつ制御部から送信された作業者の個人管理番号を線量計に記録する充電部と、充電を完了し、かつ個人管理番号が記録された線量計を貸し出す貸出手段とを備えている充電・管理ロッカとしているので、個人管理番号が合致している場合にのみロッカが開鍵されるから線量計が確実に元の位置に返却される。
【００２７】
したがって、設置スペースが節約でき、線量計の管理が作業者の負担とならないで確実に実施できる。
更に、原子力発電所等の管理区域内で作業する作業者が管理区域内に入場する際に着替える衣服を収納するロッカを、作業者の個人管理番号を読み取る個人管理番号読取り部と、個人管理番号読取り部が読み取った個人管理番号を記憶し、個人管理番号を作業者の入退域管理のための管理用計算機に送信してその計算機から入域許可及び既被曝線量データを受信し、作業者に入域可否を指示し、線量計に個人管理番号及び既被曝線量値を記録するための信号を送信し、線量計の返却時には、作業者の個人管理番号を照合し、個人管理番号が合致している場合にロッカを開鍵し、同時に線量計の計測データを読み出して管理用計算機に計測データを送信する制御部と、線量計を充電し、制御部から送信された作業者の個人管理番号及び既被曝線量値を線量計に記録し、線量計の返却時には、線量計の最終被曝線量値を制御部に送信する充電部と、充電を完了し、かつ個人管理番号が記録された線量計を貸し出す貸出手段とを備えている充電・管理ロッカとしているので、線量計が確実に元の位置に返却され、かつ入退域管理装置を省略することもできる。
【００２８】
したがって、設置スペースが更に節約でき、線量計の管理が作業者の負担とならないで確実に実施できる。
【図面の簡単な説明】
【図１】この発明による充電・管理ロッカの第１の実施例の構成を示すブロック図
【図２】充電・管理ロッカの第１の実施例の外観を示す部分斜視図
【図３】この発明による充電ロッカの実施例の構成を示すブロック図
【図４】充電ロッカの実施例の外観を示す部分斜視図
【図５】充電・管理ロッカの第２の実施例の構成を示すブロック図
【図６】充電・管理ロッカの第２の実施例の外観を示す部分斜視図
【図７】充電・管理ロッカの第３の実施例の外観を示す正面図
【図８】従来技術における入退域管理装置の周辺を示す斜視図
【図９】従来技術における充電・貸出装置の外観及び断面を示し、（ａ）は正面外観の部分拡大図、（ｂ）は部分断面図
【符号の説明】
１  充電・貸出装置
１１  充電部                １２  充電中表示灯
１３  充電完了表示灯        １４  貸出スイッチ
２  線量計                ３  入退域管理装置
４  充電ロッカ
４０  ロッカ                ４１  充電部
４２  制御用電源
５，  ６，  ７  充電・管理ロッカ
５１，  ６１  充電部            ５２，  ７２  制御用電源
５３  個人管理番号読取り部  ５４，  ６４  制御部
５５  個人管理番号送信ライン
５６  個人管理番号伝送ライン
６６  個人管理番号及び線量計データ伝送ライン
【図１】
0003627442.tif 000002
【図２】
0003627442.tif 000003
【図３】
0003627442.tif 000004
【図４】
0003627442.tif 000005
【図５】
0003627442.tif 000006
【図６】
0003627442.tif 000007
【図７】
0003627442.tif 000008
【図８】
0003627442.tif 000009
【図９】
0003627442.tif 000010